(57)【要約】【解決手段】捕虫ケース１から延びる腕２の先端部に捕虫口３を設けるとともに、この捕虫口３と捕虫ケース１とを腕２を通して互いに連通し、この腕２に蛇腹状の屈曲可能部１０を設けて捕虫口３の向きを変更可能にしている。【効果】捕虫口３の向きを変更することができるので、飛翔している虫や壁などに止まっている虫を捕獲し易い。【選択図】図１
2011109932.tif 000002
【特許請求の範囲】
【請求項１】
捕虫ケースから延びる腕の先端部に捕虫口を設けるとともに、この捕虫口と捕虫ケースとを腕を通して互いに連通し、この腕に屈曲可能部を設けて捕虫口の向きを変更可能にしたことを特徴とする捕虫器。
【請求項２】
前記屈曲可能部は蛇腹状に形成されていることを特徴とする請求項１に記載の捕虫器。
【請求項３】
前記屈曲可能部は腕の長手方向へ伸縮可能に形成されていることを特徴とする請求項２に記載の捕虫器。
【請求項４】
前記捕虫ケースに設けた取出口に対し前記腕の基端部を着脱可能に螺合し、腕の基端部をその取出口の蓋として兼用したことを特徴とする請求項１または請求項２または請求項３に記載の捕虫器。
【請求項５】
前記腕の先端部と前記捕虫口との間の連通部において捕虫口の開口は腕の先端部の開口から捕虫口側へ広がり、前記腕の基端部と前記捕虫ケースとの間の連通部において捕虫ケースの開口は腕の基端部の開口から捕虫ケース側へ広がっていることを特徴とする請求項１から請求項４のうちいずれか一つの請求項に記載の捕虫器。
【発明の詳細な説明】
【技術分野】
【０００１】
本発明は、飛翔している虫や壁などに止まっている虫を捕獲することができる捕虫器に関するものである。
【背景技術】
【０００２】
従来、下記特許文献１にかかる捕虫器が開示されているが、その捕虫器は吊下げ式や載置式のものであるため、飛翔している虫や壁などに止まっている虫を捕獲する際には適していない。
【先行技術文献】
【特許文献】
【０００３】
【特許文献１】特開平１０−２１５７４９号公報
【発明の概要】
【発明が解決しようとする課題】
【０００４】
この発明は、飛翔している虫や壁などに止まっている虫を捕獲する際に適した便利な捕虫器を提供することを目的としている。
【課題を解決するための手段】
【０００５】
後記実施形態の図面（図１〜２）の符号を援用して本発明を説明する。
請求項１の発明にかかる捕虫器においては、捕虫ケース１から延びる腕２の先端部に捕虫口３を設けるとともに、この捕虫口３と捕虫ケース１とを腕２を通して互いに連通し、この腕２に屈曲可能部１０を設けて捕虫口３の向きを変更可能にしている。請求項１の発明では、場所的条件に合わせて腕２の長手方向に対し屈曲可能部１０を屈曲させて捕虫口３の向きを変更することができるので、飛翔している虫や壁などに止まっている虫を捕獲し易い。
【０００６】
請求項１の発明を前提とする請求項２の発明において、前記屈曲可能部１０は蛇腹状に形成されている。請求項２の発明では、屈曲可能部１０を容易に形成することができるとともに屈曲させ易い。
【０００７】
請求項２の発明を前提とする請求項３の発明において、前記屈曲可能部１０は腕２の長手方向へ伸縮可能に形成されている。請求項３の発明では、場所的条件に合わせて屈曲可能部１０を伸縮させて腕２の長さＬを変更することができるので、飛翔している虫や壁などに止まっている虫を捕獲し易い。
【０００８】
請求項１または請求項２または請求項３の発明を前提とする請求項４の発明において、前記捕虫ケー１に設けた取出口７に対し前記腕２の基端部を着脱可能に螺合し、腕２の基端部をその取出口７の蓋として兼用している。ちなみに、前記腕２と捕虫口３とを一体成形して、腕２と捕虫口３とを容易に形成することができる。請求項４の発明では、捕虫ケー１に対する腕２の連結構造を利用して捕虫ケー１の蓋構造を簡単に設けることができる。
【０００９】
請求項１から請求項４のうちいずれか一つの請求項の発明を前提とする請求項５の発明において、前記腕２の先端部と前記捕虫口３との間の連通部５において捕虫口３の開口３ａは腕２の先端部の開口２ａから捕虫口３側へ広がり、前記腕２の基端部と前記捕虫ケース１との間の連通部６において捕虫ケース１の開口４ａは腕２の基端部の開口２ｂから捕虫ケース１側へ広がっている。請求項５の発明では、捕虫口３に虫が入り易くなるとともに、捕虫ケース１に捕獲した虫が腕２から捕虫口３へ逃げにくくなる。
【発明の効果】
【００１０】
本発明は飛翔している虫や壁などに止まっている虫の捕獲を容易に行うことができる。
【図面の簡単な説明】
【００１１】
【図１】（ａ）は本実施形態にかかる捕虫器において使用状態の一例を示す斜視図であり、（ｂ）は同じく正面図であり、（ｃ）は上記捕虫器において使用状態の別例を示す正面図である。
【図２】（ａ）は本実施形態にかかる捕虫器において使用状態の一例を示す断面図であり、（ｂ）は上記捕虫器において捕虫ケースを分解した断面図である。
【発明を実施するための形態】
【００１２】
本発明の一実施形態にかかる捕虫器について図１〜２を参照して説明する。
この捕虫器は略直方体形状の捕虫ケース１と細管状の腕２と漏斗状の捕虫口３とからなる。この捕虫ケース１は、プラスチックにより一体成形され、上壁１ａと底壁１ｂと周壁１ｃとの間で捕獲室４を有している。この腕２と捕虫口３とはこの捕虫ケース１に対し分離されてプラスチックによりに一体成形されている。この捕虫口３はこの腕２の先端部に対し連通部５で連通して上方へ延設されている。この腕２は捕虫ケース１の上壁１ａに対し連通部６で連通して上方へ延設されている。この捕虫ケース１の上壁１ａには前記連通部６で筒状の取出口７が形成され、その取出口７に雌ねじ孔８が形成されている。この腕２の基端部には前記連通部６で雄ねじ部９が形成されてその取出口７の雌ねじ孔８に対し着脱可能に螺合されている。この腕２の基端部は捕虫ケース１の取出口７に対する蓋として兼用されている。この腕２の先端部と捕虫口３との間の前記連通部５において捕虫口３の開口３ａは腕２の先端部の開口２ａから捕虫口３側へ広がっている。この腕２の基端部と捕虫ケース１との間の前記連通部６において捕虫ケース１内の捕獲室４の開口４ａは腕２の基端部の開口２ｂから捕虫ケース１側へ広がっている。
【００１３】
前記腕２において捕虫口３の付近で長手方向の一定範囲には蛇腹状の屈曲可能部１０が形成されている。この屈曲可能部１０は長手方向の複数位置で屈曲可能であるとともに長手方向へ複数長さに伸縮可能であってその屈曲状態及び伸縮状態を保持することができる。従って、この腕２においては、捕虫ケース１と屈曲可能部１０との間で長手方向へ延びる保持部１１を中心にした３６０度の円周範囲の所定空域で、その保持部１１に対する屈曲位置Ｐの距離Ｍや屈曲角度θを調節したり、腕２の長さＬを調節したりして、捕虫口３の向きや位置を適宜変更して保持することができる。
【００１４】
さて、場所的条件に合わせて捕虫口３の向きや位置を調節した後に、飛翔している虫や壁などに止まっている虫に向けて捕虫口３を当てがうと、虫は捕虫口３に入った後に腕２を通って捕虫ケース１に入る。捕虫ケース１の雌ねじ孔８から腕２の雄ねじ部９を外すと、捕虫ケース１の取出口７で捕獲室４の開口４ａが開放され、捕虫ケース１に捕獲された虫をその開口４ａから捕虫ケース１の外へ取り出すことができる。
【００１５】
本実施形態は下記の効果を有する。
（１）  捕虫ケース１から延びる腕２に設けた蛇腹状の屈曲可能部１０により、場所的条件に合わせて捕虫口３の向きや腕２の長さＬを変更可能にしているので、飛翔している虫や壁などに止まっている虫を捕獲し易い。
【００１６】
（２）  腕２の基端部を捕虫ケー１の蓋として兼用しているので、捕虫ケー１の蓋構造を簡単に設けることができる。
（３）  細管状の腕２に対し略直方体形状の捕虫ケース１と漏斗状の捕虫口３とが広がっているので、捕虫口３に虫が入り易くなるとともに、捕虫ケース１に捕獲した虫が腕２から捕虫口３へ逃げにくくなる。
【００１７】
前記実施形態以外にも例えば下記のように構成してもよい。
・  前記実施形態において捕虫口３と一体成形された腕２のうち、蛇腹状の屈曲可能部１０に代えて、屈曲可能部のみを屈曲可能なゴムなどの材質で成形する。
【００１８】
・  前記実施形態において、腕を保持部と屈曲可能部とに分離して成形するとともに、屈曲可能部と捕虫口とを互いに分離して成形し、屈曲可能部を保持部及び捕虫口に連結する。その場合、屈曲可能部を蛇腹状に成形したり、屈曲可能部を屈曲可能なゴムなどの材質で成形したりしてもよい。
【００１９】
・  前記実施形態において捕虫ケースと腕と捕虫口を一体成形し、捕虫ケースに開閉可能な蓋を取り付ける。
【符号の説明】
【００２０】
１…捕虫ケース、２…腕、２ａ…腕の先端部の開口、２ｂ…腕の基端部の開口、３…捕虫口、３ａ…捕虫口の開口、４…捕獲室、４ａ…捕虫ケースの開口、５，６…連通部、７…捕虫ケースの取出口、８…捕虫ケースの雌ねじ孔、９…腕の雄ねじ部、１０…屈曲可能部。
【図１】
2011109932.tif 000003
【図２】
2011109932.tif 000004